(57)【要約】【課題】光源により加熱された空気を良好に冷却して排気することができる画像投影装置を提供する。【解決手段】光源６１と、光源６１からの光を用いて画像を投影する光学エンジン部１００などの画像投影手段と、光源６１により加熱された空気と、該空気よりも低温の空気とを取り入れて混合する混合手段と、混合手段で混合された空気を機外へ排気する画像投影装置において、混合手段は、光源６１により加熱された空気と該空気よりも低温の空気とを取り入れて混合する混合部と、混合部内の空気を攪拌する筒状ファンなどの攪拌部材とを備えた。【選択図】図２２
2014167502.tif 000002
【特許請求の範囲】
【請求項１】
光源と、
前記光源からの光を用いて画像を投影する画像投影手段と、
前記光源により加熱された空気と、該空気より低温の空気とを取り入れて混合する混合手段とを備え、
前記混合手段で混合された空気を機外へ排気する画像投影装置において、
前記混合手段は、前記光源により加熱された空気と該空気より低温の空気とを取り入れて混合する混合部と、前記混合部内の空気を攪拌する攪拌部材とを備えたことを特徴とする画像投影装置。
【請求項２】
請求項１の画像投影装置において、
前記混合手段は、両側吸い込み型シロッコファンであり、
一方の吸い込み口から前記光源により加熱された空気を吸い込み、他方の吸い込み口から前記光源により加熱された空気より低温の空気を吸い込むことを特徴とする画像投影装置。
【請求項３】
請求項２の画像投影装置において、
前記両側吸い込み型シロッコファンの一方の吸い込み口を、光源を収納する光源ハウジングの光源により加熱された空気が排気される排気口に対向するように、前記両側吸い込み型シロッコファンを配置したことを特徴とする画像投影装置。
【請求項４】
請求項１乃至３いずれかの画像投影装置において、
前記混合手段によって混合された空気で、前記画像投影部の光変調素子を冷却する光変調素子冷却手段を冷却することを特徴とする画像投影装置。
【発明の詳細な説明】
【技術分野】
【０００１】
本発明は、画像投影装置に関するものである。
【背景技術】
【０００２】
従来から、パソコンなどからの画像データに基づいて光を変調する光変調素子と、この光変調素子に光源からの光を照射する照射部とからなる画像形成部を備え、画像形成部で画像を形成し、形成された画像を、投影光学部を用いて投影面に結像させる画像投影装置が知られている。
【０００３】
画像投影装置の光源としては、ハロゲンランプ、メタルハライドランプ、高圧水銀ランプなどが用いられており、これらのランプは、発光すると高温となる。よって、ブロアやファンなどの送風手段により光源に空気を送風して、光源を空冷している。光源から熱を奪って温度上昇した空気（以下、光源冷却後空気）は、排気口から機外へ排出される。この排気口からの排気される光源冷却後空気が高温であるという不具合があった。
【０００４】
特許文献１には、光源から熱を奪って高温となった光源冷却後空気と、冷却ファンで機内に取り込んだ光源冷却後空気よりも低温の外気（以下、冷却用空気という）とを混合部たる混合ダクトに流し込み、上記光源冷却後空気と冷却空気とを混合させて、温度低下させてから機外へ排気する画像投影装置が記載されている。
【発明の概要】
【発明が解決しようとする課題】
【０００５】
しかしながら、特許文献１に記載の画像投影装置においては、冷却空気と、光源冷却後空気とを、それぞれ同じ方向から混合ダクト内へ流れ込ませる。そして、混合ダクト内での冷却空気と光源冷却後空気との流れに任せて受動的に冷却空気と光源冷却後空気とを混合させる。このため、冷却空気の混合ダクト内での流速と、光源冷却後空気の混合ダクト内での流速とが異なると、混合ダクト内で、冷却空気の層と光源冷却後空気の層とができてしまうおそれがあった。その結果、混合ダクト内で十分に空気を混合させることができず、高温の空気が排気口から排気されるおそれがあった。
【０００６】
本発明は以上の課題に鑑みなされたものであり、その目的は、光源により加熱された空気を良好に冷却して排気することができる画像投影装置を提供することである。
【課題を解決するための手段】
【０００７】
上記目的を達成するために、請求項１の発明は、光源と、前記光源からの光を用いて画像を投影する画像投影手段と、前記光源により加熱された空気と、該空気より低温の空気とを取り入れて混合する混合手段とを備え、前記混合手段で混合された空気を機外へ排気する画像投影装置において、前記混合手段は、前記光源により加熱された空気と該空気より低温の空気とを取り入れて混合する混合部と、前記混合部内の空気を攪拌する攪拌部材とを備えたことを特徴とするものである。
【発明の効果】
【０００８】
本発明によれば、混合部内で光源により加熱された空気と、この空気より低温の空気とが攪拌部材により攪拌されるので、混合部内で光源により加熱された空気と、上記低温の空気とが良好に混合される。その結果、混合部内で光源により加熱された空気を良好に冷却して、機外へ排気することができる。
【図面の簡単な説明】
【０００９】
【図１】本実施形態に係るプロジェクタと投影面とを示す斜視図。
【図２】（ａ）は図１の手前側から見たプロジェクタの内部の斜視図。（ｂ）は図１の奥側から見たプロジェクタの内部の斜視図。
【図３】プロジェクタから投影面までの光路図。
【図４】プロジェクタの内部構成を示す概略斜視図。
【図５】光源部の概略斜視図。
【図６】照明部に収納された光学系部品を、他の部とともに示す斜視図。
【図７】照明部と投影レンズ部と画像形成部とを図５のＡ方向から見た斜視図。
【図８】照明部内での光の光路を説明する図。
【図９】画像形成部の斜視図。
【図１０】第１光学部を、照明部と画像形成部とともに示す斜視図。
【図１１】図１０のＡ−Ａ断面図。
【図１２】第２光学部が保持する第２光学系を、投影レンズ部と照明部と画像形成部とともに示す斜視図。
【図１３】第２光学部を、第１光学部、照明部、画像形成部とともに示す斜視図。
【図１４】第１光学系から投影面までの光路を示す斜視図。
【図１５】装置内の各部の配置関係を示した模式図。
【図１６】プロジェクタの内部構成を示す斜視図。
【図１７】プロジェクタ内の空気の流れを説明する説明図。
【図１８】吸気用軸流ファン、光源ハウジングおよびシロッコファンの配置関係を示す図。
【図１９】吸気用軸流ファンにより吸気される空気の流れを示す斜視図。
【図２０】電源部の配置関係を示すプロジェクタの斜視図。
【図２１】光源部を冷却する空気の流れを示す斜視図。
【図２２】吸気用軸流ファンを取り除いた斜視図
【図２３】図２２のＤ方向から見た図。
【図２４】シロッコファンから吸排気口に至るまでの空気の流れを示す斜視図。
【図２５】変形例のプロジェクタを示す要部斜視図。
【図２６】変形例のプロジェクタにおける空気の流れを示す図。
【発明を実施するための形態】
【００１０】
以下、図面を参照して本発明の実施形態を説明する。
まず、本発明に係る画像投影装置の全体構成について説明する。
図１は、本発明の一実施形態に係る画像投影装置としてのプロジェクタ１とスクリーンなどの投影面１０１とを示す外観斜視図である。なお、以下の説明では、図１に示すように投影面１０１の法線方向をＸ方向、投影面の短軸方向（上下方向）をＹ方向、投影面１０１の長軸方向（水平方向）をＺ方向とする。
【００１１】
プロジェクタは、パソコンやビデオカメラ等から入力される画像データに基づいて投影画像を形成し、その投影画像Ｐをスクリーンなどの投影面１０１に投影表示する装置である。特に、液晶プロジェクタは、近来、液晶パネルの高解像化、光源（ランプ）の高効率化に伴う明るさの改善、低価格化などが進んでいる。また、微小駆動ミラー装置であるＤＭＤ（Digital Micro-mirror Device：登録商標）を利用した小型軽量なプロジェクタ１が普及し、オフィスや学校のみならず家庭においても広くプロジェクタ１が利用されるようになってきている。また、フロントタイプのプロジェクタは、携帯性が向上し、数人規模の小会議にも使われるようになってきている。このようなプロジェクタでは、大画面の画像を投影できること（投影面の大画面化）とともに、「プロジェクタ外に必要とされる投影空間」をできるだけ小さくできることが要請されている。後述のように、本実施形態のプロジェクタ１は、投射レンズ等の透過光学系を投影面１０１と平行に設定し、折り返しミラーで光束を折り返した後、自由曲面ミラーで光束を投影面１０１に対して拡大投影するように構成されている。この構成により、光学エンジン部を縦型で３次元的に小型化を図ることができる。
【００１２】
プロジェクタ１の上面には、投影画像Ｐの光束が出射する透過ガラス５１が設けられており、透過ガラス５１を通過した光束が投影面１０１に投射される。また、プロジェクタ１の上面には、ユーザーがプロジェクタ１を操作するための操作部８３が設けられている。また、プロジェクタ１の側面には、ピント調整のためのフォーカスレバー３３が設けられている。
【００１３】
図２はプロジェクタ１の本体カバーを外して内部を見た内部斜視図である。図２（ａ）は図１の手前側から見たプロジェクタ１の内部の斜視図、図２（ｂ）は図１の奥側から見たプロジェクタ１の内部の斜視図である。また、図３は、プロジェクタ１から投影面１０１までの光路図である。
プロジェクタ１は、光学エンジン部１００と、白色光を発する光源を有する光源部６０とを備えている。光学エンジン部１００は、光源からの光を用いて画像を形成する画像形成手段としての画像形成部Ａと、画像形成部Ａで形成した画像の光束を投影面１０１に投射するための投射光学部Ｂとを備えている。
【００１４】
画像形成部Ａは、反射面の傾きを変化させるように駆動可能な多数の微小ミラーを有する微小駆動ミラー装置であるＤＭＤ１２を有する光変調部１０と、光源からの光を折り返してＤＭＤ１２に照射する照明部２０とを用いて構成されている。投射光学部１０２は、透過型の屈折光学系を少なくとも一つ含み正のパワーを有する共軸系の第１光学系７０を備えた第１投射光学系３０と、折り返しミラー４１と正のパワーを有する曲面ミラー４２とを有する第２投射光学系４０とを用いて構成されている。
【００１５】
ＤＭＤ１２は、光源からの光が照明部２０によって照射され、この照明部２０によって照射された光を変調することで画像を生成する。ＤＭＤ１２によって生成された光像は、第１投射光学系３０の光学系７０、第２投射光学系４０の折り返しミラー４１及び曲面ミラー４２を介して、投影面１０１に投影される。
【００１６】
図５は、光源部６０の斜視図である。
光源部６０は、光源６１を保持する保持部材である光源ブラケット６２を有しており、光源ブラケット６２の上部にハロゲンランプ、メタルハライドランプ、高圧水銀ランプなどの光源６１が装着さている。また、光源ブラケット６２には、電源部８０（図１５参照）に接続された不図示の電源側コネクタと接続するコネクタ部６２ａが設けられている。
【００１７】
また、光源ブラケット６２の上部の光源６１の光出射側には、リフレクタ６７などが保持されたホルダ６４がネジ止めされている。ホルダ６４の光源６１配置側と反対側の面には、出射窓６３が設けられている。光源６１から出射した光は、ホルダに保持されたリフレクタ６７により出射窓に集光され、出射窓６３から出射する。
【００１８】
また、ホルダ６４の上面と、ホルダの下面のＸ方向両端には、光源部６０を照明部２０の照明ブラケット２６（図６、７参照）に位置決めするため光源位置決め部６４ａ１〜６４ａ３が設けられている。ホルダ６４の上面に設けられた光源位置決め部６４ａ３は突起形状であり、ホルダ６４の下面に設けられた２つの光源位置決め部６４ａ１,６４ａ２は穴形状となっている。
【００１９】
また、ホルダ６４の上面には、光源６１を冷却するための空気が流入する取り入れ口としての光源流入口６４ｃが設けられている。また、ホルダ６４の上面を除く側面には、光源６１の熱により加熱された空気が排気される光源排気口６４ｂが設けられている。
【００２０】
図６は、照明部２０に収納された光学系部品を他の構成部品とともに示す照明部２０の斜視図である。
図６に示すように、照明部２０は、カラーホイール２１、ライトトンネル２２、２枚のリレーレンズ２３、シリンダミラー２４、凹面ミラー２５を有しており、これらは、照明ブラケット２６に保持されている。照明ブラケット２６は、２枚のリレーレンズ２３、シリンダミラー２４、凹面ミラー２５が収納される筐体状の部分２６１を有しており、この筐体状の部分２６１の４つの側面部のうち、図中右側のみ側面を有し、他の３面は、開口した形状となっている。そして、図中Ｘ方向の奥側の側面部開口には、ＯＦＦ光板２７（図７参照）が取り付けられており、図中Ｘ方向手前側の側面部開口には、いずれの図面にも図示されていないカバー部材が取り付けられる。これにより、照明ブラケット２６の筐体状の部分２６１に収納される２枚のリレーレンズ２３、シリンダミラー２４、凹面ミラー２５は、照明ブラケット２６と、ＯＦＦ光板２７と、いずれの図面にも図示されていないカバー部材とにより覆われる。
【００２１】
また、照明ブラケット２６の筐体状の部分２６１の下面には、ＤＭＤ１２が露出するための照射用貫通孔２６ｄを有している。
【００２２】
また、照明ブラケット２６には、３つの脚部２９を有している。これら脚部２９は、プロジェクタ１の設置面としてのベース部材５３（図１４参照）に当接して、照明ブラケット２６に積み重ねて固定される第１投射光学系３０、第２投射光学系４０の重量を支持している。また、脚部２９を設けることにより、光変調部１０の画像生成手段としてのＤＭＤ１２を冷却するための冷却手段としてのヒートシンク１３（図７参照）に、空気が流入するための空間を形成する。
【００２３】
なお、図６に示す符号３２ａ３、３２ａ４は、第１投射光学系３０のレンズホルダー３２の脚部であり、符号４５ａ３は、第２投射光学系４０のネジ止め部４５ａ３である。
【００２４】
図７は、照明部２０と投影レンズ部３１と光変調部１０とを図６のＡ方向から見た斜視図である。
照明ブラケット２６の筐体状の部分２６１の上部には、図中Ｙ方向に対して直交する上面２６ｂが設けられている。この上面２６ｂの４角には、第１投射光学系３０をネジ止めするためのネジが貫通する貫通孔が設けられている（図７では、貫通孔２６ｃ１と２６ｃ２とが図示されており、残りの貫通孔については、不図示）。また、図中Ｘ方向手前側の貫通孔２６ｃ１,２６ｃ２に隣接して、第１投射光学系３０を照明部２０に位置決めするための位置決め孔２６ｅ１,２６ｅ２が設けられている。図中Ｘ方向手前側に設けられた２個の位置決め孔のうち、カラーホイール２１配置側の位置決め孔２６ｅ１は、位置決めの主基準であり、丸穴形状となっている。また、カラーホイール２１配置側と反対側の位置決め孔２６ｅ２は、位置決めの従基準であり、Ｚ方向に延びる長穴となっている。また、各貫通孔２６ｃ１,２６ｃ２の周囲は、照明ブラケット２６の上面２６ｂよりも突出しており、第１投射光学系３０をＹ方向に位置決めするための位置決め突起２６ｆとなっている。位置決め突起２６ｆを設けずに、Ｙ方向の位置精度を高める場合、照明ブラケット２６の上面全体の平面度を高める必要があり、コスト高になる。一方、位置決め突起２６ｆを設けることで、位置決め突起２６ｆの部分だけ、平面度を高めればよいので、コストを抑えて、Ｙ方向の位置精度を高めることができる。
【００２５】
また、照明ブラケット２６上面の開口部には、投影レンズ部３１の下部が嵌合する遮光板２６２が設けられており、上方から筐体状の部分２６１内への光の進入を防いでいる。
【００２６】
また、照明ブラケット２６の上面２６ｂの貫通孔２６ｃ１,２６ｃ２の間は、後述するように、第２投射光学系４０を、第１投射光学系３０にネジ止めする際に邪魔とならないように切り欠いている。
【００２７】
照明ブラケット２６のカラーホイール２１側端部（図中Ｚ方向手前側）には、前述の光源部６０のホルダ６４上面に設けられた突起状の光源位置決め部６４ａ３（図５参照）が嵌合する上下方向に貫通孔が形成された筒状の光源被位置決め部２６ａ３が設けられている。また、この光源被位置決め部２６ａ３の下方には、ホルダ６４の光源ブラケット６２側に設けられた２つの穴形状の光源位置決め部６４ａ１,６４ａ２が嵌合する突起状の２個の光源被位置決め部２６ａ１,２６ａ２が設けられている。そして、ホルダ６４の３つの光源位置決め部６４ａ１〜６４ａ３が、照明部２０の照明ブラケット２６に設けられた３箇所の光源被位置決め部２６ａ１〜２６ａ３に嵌合することで、光源部６０は、照明部２０に位置決め固定される（図４参照）。
【００２８】
また、照明ブラケット２６には、カラーホイール２１、ライトトンネル２２を覆う、照明カバー２８が取り付けられている。
【００２９】
図８は、照明部２０内の光路Ｌを示す説明図である。
カラーホイール２１は、円盤形状のものであり、カラーモータ２１ａのモータ軸に固定されている。カラーホイール２１には、回転方向にＲ（レッド）、Ｇ（グリーン）、Ｂ（ブルー）などのフィルタが設けられている。光源部６０のホルダ６４に設けられた不図示のリフレクタにより集光された光は、出射窓６３を通って、カラーホイール２１の周端部に到達する。カラーホイール２１の周端部に到達した光は、カラーホイール２１の回転により時分割でＲ、Ｇ，Ｂの光に分離される。
【００３０】
カラーホイール２１により分離された光は、ライトトンネル２２へ入射する。ライトトンネル２２は、四角筒形状であり、その内周面が鏡面となっている。ライトトンネル２２に入射した光は、ライトトンネル２２内周面で複数回反射しながら、均一な面光源にされてリレーレンズ２３へ向けて出射する。
【００３１】
ライトトンネル２２を抜けた光は、２枚のリレーレンズ２３を透過し、シリンダミラー２４、凹面ミラー２５により反射され、ＤＭＤ１２の画像生成面上に集光して結像される。
【００３２】
図９は、光変調部１０の斜視図である。
図９に示すように光変調部１０は、ＤＭＤ１２が装着されるＤＭＤボード１１を備えている。ＤＭＤ１２は、マイクロミラーが格子状に配列された画像生成面を上向きにしてＤＭＤボード１１に設けられたソケット１１ａに装着されている。ＤＭＤボード１１には、ＤＭＤミラーを駆動するための駆動回路などが設けられている。ＤＭＤボード１１の裏面（ソケット１１ａが設けられた面と反対側の面）には、ＤＭＤ１２を冷却するための光変調素子冷却手段としてのヒートシンク１３が固定されている。ＤＭＤボード１１のＤＭＤ１２が装着される箇所は、図示しない貫通孔を貫通している。ヒートシンク１３には、この貫通孔に挿入される突起部１３ａ（図８参照）が形成されている。突起部１３ａの先端は、平面状になっている。突起部１３ａを不図示の貫通孔に挿入して、ＤＭＤ１２の裏面（画像生成面と反対側の面）に突起部１３ａ先端の平面部を当接させている。この平面部やＤＭＤ１２の裏面のヒートシンク１３が当接する箇所に弾性変形可能な伝熱シートを貼り付けて、突起部１３ａの平面部とＤＭＤ１２の裏面との密着性を高めて、熱伝導性を高めてもよい。
【００３３】
ヒートシンク１３は、固定部材１４により、ＤＭＤボード１１のソケット１１ａが設けられた面と反対側の面に加圧されて固定される。固定部材１４は、ＤＭＤボード１１の裏面の図中右側の部分に対向する板状の固定部１４ａと、ＤＭＤボード１１の裏面の図中左側の部分に対向する板状の固定部１４ａとを有している。各固定部のＸ方向一端付近と他端付近とには、左右の固定部を連結するように設けられた押圧部１４ｂを有している。
【００３４】
ヒートシンク１３は、光変調部１０を照明ブラケット２６（図７参照）にネジ止めすると、固定部材１４により、ＤＭＤボード１１のソケット１１ａが設けられた面と反対側の面に加圧されて固定される。
【００３５】
以下に、光変調部１０の照明ブラケット２６の固定について、説明する。まず、ＤＭＤ１２が、先の図６で示した照明部２０の照明ブラケット２６下面に設けられた照射用貫通孔２６ｄの開口面と対向するように、光変調部１０を照明ブラケット２６に位置決めする。次に、固定部１４ａに設けられた不図示の貫通孔と、ＤＭＤボード１１の貫通孔１５とを貫通するように図中下側からネジを挿入する。そして、ネジを照明ブラケット２６に設けられたネジ止め部２６３（図４参照）の下面に設けられたネジ穴にねじ込んで、光変調部１０を照明ブラケット２６に固定する。また、照明ブラケット２６に設けられたネジ止め部２６３にネジをねじ込んでいくと、押圧部１４ｂが、ヒートシンク１３をＤＭＤボード側押圧していく。これにより、ヒートシンク１３が、固定部材１４により、ＤＭＤボード１１のソケット１１ａが設けられた面と反対側の面に加圧されて固定される。
【００３６】
このように、光変調部１０は、照明ブラケット２６に固定され、先の図６に示した３つの脚部２９は、光変調部１０の重量も支持している。
【００３７】
ＤＭＤ１２の画像生成面には、可動式の複数のマイクロミラーが格子状に配列されている。各マイクロミラーは鏡面をねじれ軸周りに所定角度傾斜させることができ、「ＯＮ」と「ＯＦＦ」の２つの状態を持たせることができる。マイクロミラーが「ＯＮ」のときは、先の図８の矢印Ｌ２に示すように、光源６１からの光を第１光学系７０（図３参照）に向けて反射する。「ＯＦＦ」のときは、先の図７に示す照明ブラケット２６の側面に保持されたＯＦＦ光板２７に向けて光源６１からの光を反射する（図８の矢印Ｌ１参照）。従って、各ミラーを個別に駆動することにより、画像データの画素ごとに光の投射を制御することができ、画像を生成することができる。
【００３８】
不図示のＯＦＦ光板２７に向けて反射された光は、熱となって吸収され外側の空気の流れで冷却される。
【００３９】
図１０は、第１投射光学系３０を照明部２０と光変調部１０とともに示す斜視図である。
図１１に示すように、第１投射光学系３０は、照明部２０の上方に配置されており、複数のレンズで構成された第１光学系７０（図３参照）を保持した投影レンズ部３１と、この投影レンズ部３１を保持するレンズホルダー３２とを有している。レンズホルダー３２には、下方へ延びる４つの脚部３２ａ１〜３２ａ４が設けられており（図１０には、脚部３２ａ２,３２ａ３のみ図示されている。脚部３２ａ１は、図４参照、脚部３２ａ４は、図６参照）、各脚部３２ａ１〜３２ａ４の底面には、照明ブラケット２６にねじ止めされるためのネジ穴が形成されている。
【００４０】
また、投影レンズ部３１には、フォーカスギヤ３６が設けられており、フォーカスギヤ３６には、アイドラギヤ３５が噛み合っている。アイドラギヤ３５には、レバーギヤ３４が噛み合っており、レバーギヤ３４の回転軸には、フォーカスレバー３３が固定されている。フォーカスレバー３３の先端部分は、先の図１に示すように、装置本体から露出している。
【００４１】
フォーカスレバー３３を動かすと、レバーギヤ３４、アイドラギヤ３５を介して、フォーカスギヤ３６が回動する。フォーカスギヤ３６が回動すると、投影レンズ部３１内の第１光学系７０を構成する複数のレンズが、それぞれ所定の方向へ移動し、投影画像のピントが調整される。
【００４２】
また、レンズホルダー３２には、４箇所、第２投射光学系４０を第１投射光学系３０にネジ止めするためのネジ４８が貫通するネジ貫通孔３２ｃ１〜３２ｃ３を有している（図１０では、３個のネジ貫通孔が図示されており、各ネジ貫通孔３２ｃ１〜３２ｃ３には、ネジ４８を貫通させた様子が示されており、図で見えているのは、ネジ４８のネジ部の先端側である。）。また、各ネジ貫通孔３２ｃ１〜３２ｃ４の周囲は、レンズホルダー３２の面から突出した第２投射光学系位置決め突起３２ｄ１〜３２ｄ３が形成されている（図１０では、３２ｄ１〜３２ｄ３が図示されている）。
【００４３】
図１１は、図１０のＡ−Ａ断面図である。
図１１に示すように、脚部３２ａ１,３２ａ２には、被位置決め突起３２ｂ１,３２ｂ２が、設けられている。図中右側の被位置決め突起３２ｂ１は、照明ブラケット２６の上面２６ｂに設けられた位置決めの主基準である丸穴形状の位置決め孔２６ｅ１に挿入される。また、図中左側の被位置決め突起３２ｂ２は、位置決めの従基準である長穴形状の位置決め孔２６ｅ２に挿入される。これにより、Ｚ軸方向、Ｘ軸方向の位置決めがなされる。そして、照明ブラケット２６上面２６ｂに設けられた貫通孔２６ｃ１〜２６ｃ４にネジ３７を挿入し、レンズホルダー３２の各脚部３２ａ１〜３２ａ４に設けられたネジ穴にネジ３７をねじ止めする。これにより、第１投射光学系３０が照明部２０に位置決め固定される。
【００４４】
投影レンズ部３１のレンズホルダー３２よりも上部側は、後述する第２投射光学系のミラーホルダー４５（図１３参照）により覆われている。なお、先の図４に示すように、投影レンズ部３１のレンズホルダー３２よりも下部側のレンズホルダー３２と照明部２０の照明ブラケット２６の上面２６ｂとの間の部分は、露出している。しかし、投影レンズ部３１は、レンズホルダー３２と嵌合しているため、この露出部から、画像の光路へ光が入り込むことはない。
【００４５】
図１２は、第２投射光学系４０が備える第２光学系を、投影レンズ部３１と照明部２０と光変調部１０とともに示す斜視図である。図１２に示すように、第２投射光学系４０は、第２光学系を構成する折り返しミラー４１と、凹面状の曲面ミラー４２とを備えている。曲面ミラー４２の光を反射する面は、球面、回転対称非球面、自由曲面形状などにすることができる。
【００４６】
図１３は、第２投射光学系４０を、第１投射光学系３０、照明部２０、光変調部１０とともに示す斜視図である。図１３に示すように、第２投射光学系４０は、曲面ミラー４２から反射した光像を透過するとともに、装置内の光学系部品を防塵するための透過ガラス５１も備えている。
【００４７】
第２投射光学系４０は、折り返しミラー４１と透過ガラス５１とを保持するミラーブラケット４３を有している。また、曲面ミラー４２を保持する自由ミラーブラケット４４、ミラーブラケット４３および自由ミラーブラケット４４が取り付けられるミラーホルダー４５も有している。
【００４８】
ミラーホルダー４５は、箱型の形状をしており、上面、下面および図中Ｘ方向奥側が開口しており、上から見たとき、略コの字状の形状をしている。ミラーホルダー４５の上部開口のＺ方向手前側と奥側とのそれぞれでＸ方向に延びる縁部は、図中Ｘ方向手前側端部からＸ方向奥側へ行くにつれて、上昇するように傾斜した傾斜部と、図中Ｘ方向と平行な平行部とで構成されている。また、傾斜部が、平行部より図中Ｘ方向手前側にある。また、ミラーホルダー４５の上部開口の図中Ｘ方向手前側のＺ方向に延びる縁部は、図中Ｚ方向と平行になっている。
【００４９】
ミラーブラケット４３は、ミラーホルダー４５の上部に取り付けられる。ミラーブラケット４３は、ミラーホルダー４５の上部開口縁部の傾斜部と当接する図中Ｘ方向手前側端部からＸ方向奥側へ行くにつれて、上昇するように傾斜した傾斜面４３ａを有している。また、ミラーホルダー４５の上部開口部縁部の平行部と当接するＸ方向に平行な平行面４３ｂも有している。傾斜面４３ａと平行面４３ｂとは、それぞれ開口部を有しており、傾斜面４３ａの開口部を塞ぐように、折り返しミラー４１が保持されており、平行面４３ｂの開口部を塞ぐように透過ガラス５１が保持されている。
【００５０】
折り返しミラー４１は、板バネ状のミラー押さえ部材４６によりＺ方向両端が、ミラーブラケット４３の傾斜面４３ａに押し付けられることにより、ミラーブラケット４３の傾斜面４３ａに位置決め保持されている。折り返しミラー４１のＺ方向の一方側端部には、２個のミラー押さえ部材４６により固定されており、他方側端部には、１個のミラー押さえ部材４６により固定されている。
【００５１】
透過ガラス５１は、Ｚ方向両端が、板バネ状のガラス押さえ部材４７によりミラーブラケット４３の平行面４３ｂに押し付けられることにより、ミラーブラケット４３に位置決め固定されている。透過ガラス５１は、Ｚ方向両端それぞれ１個のガラス押さえ部材４７により保持されている。
【００５２】
曲面ミラー４２を保持する自由ミラーブラケット４４は、図中Ｘ方向奥側から手前側へ向けて下降するように傾斜した腕部４４ａをＺ軸方向手前側と奥側とに有している。また、自由ミラーブラケット４４は、腕部４４ａの上部でこれら二つの腕部４４ａを連結する連結部４４ｂを有している。自由ミラーブラケット４４は、ミラーホルダー４５の図中Ｘ方向奥側の開口を曲面ミラー４２が覆うように、腕部４４ａがミラーホルダー４５に取り付けられている。
【００５３】
曲面ミラー４２は、透過ガラス５１側端部の略中央部が、板バネ状の自由ミラー押さえ部材４９により自由ミラーブラケット４４の連結部４４ｂに押し付けられる。また、曲面ミラー４２の第１光学系側の図中Ｚ軸方向両端が、ネジにより自由ミラーブラケット４４の腕部４４ａに固定される。
【００５４】
第２投射光学系４０は、第１投射光学系３０のレンズホルダー３２に積載固定される。具体的には、ミラーホルダー４５の下部には、レンズホルダー３２の上面と対向する下面４５１が設けられている。この下面４５１には、第１投射光学系３０にネジ止めするための筒状形状のネジ止め部４５ａ１〜４５ａ３が４箇所、形成されている（ネジ止め部４５ａ１、４５a２は、図１２参照。ネジ止め部４５ａ３は、図６参照、残りのネジ止め部は、不図示）。第２投射光学系４０は、第１投射光学系３０のレンズホルダー３２に設けられた各ネジ貫通孔３２ｃ１〜３２ｃ３にネジ４８を貫通させ、各ネジ止め部４５ａ１〜４５ａ３にネジ４８をネジ止めすることにより、第１投射光学系３０にネジ止めされる。このとき、第２投射光学系４０のミラーホルダー４５の下面が、レンズホルダー３２の第２投射光学系位置決め突起３２ｄ１〜３２ｄ４と当接して、第２投射光学系４０は、Ｙ方向に位置決めされて固定される。
【００５５】
第２投射光学系４０を第１投射光学系３０のレンズホルダー３２に積載固定すると、先の図１０に示すように、投影レンズ部３１のレンズホルダー３２よりも上部の部分が、第２投射光学系４０のミラーホルダー４５内に収納される。また、第２投射光学系４０を、レンズホルダー３２に積載固定したとき、曲面ミラー４２とレンズホルダー３２との間には、隙間があり、その隙間にアイドラギヤ３５（図１０参照）入り込んでいるような形となる。
【００５６】
図１４は、第１光学系７０から投影面１０１（スクリーン）までの光路を示す斜視図である。
第１光学系７０を構成する投影レンズ部３１を透過した光束は、折り返しミラー４１と曲面ミラー４２との間で、ＤＭＤ１２で生成された画像に共役な中間像を形成する。この中間像は、折り返しミラー４１と曲面ミラー４２との間に曲面像として結像される。次に、中間像を結像した後の発散する光束は、凹面状の曲面ミラー４２に入射し、収束光束になり、曲面ミラー４２により中間像を「さらに拡大した画像」にして投影面１０１に投影結像する。
【００５７】
このように、投影光学系を、第１光学系７０と、第２光学系とで構成し、第１光学系７０と第２光学系の曲面ミラー４２との間に中間像を形成し、曲面ミラー４２で拡大投影することで、投影距離を短くでき、狭い会議室などでも使用することができる。
【００５８】
また、図１４に示すように、照明ブラケット２６には、第１投射光学系３０、第２投射光学系４０が積載固定される。また、光変調部１０も固定される。よって、照明ブラケット２６の脚部２９が、第１投射光学系３０、第２投射光学系４０および光変調部１０の重量を支える形でベース部材５３に固定される。
【００５９】
図１５は、装置内の各部の配置関係を示した模式図である。図１５に示すように、光変調部１０、照明部２０、第１投射光学系３０、第２投射光学系４０は、投影面の短軸方向であるＹ方向に積層配置されている。光源部６０は、光変調部１０、照明部２０、第１投射光学系３０、第２投射光学系４０が積層された積層体に対して投影面の長軸方向であるＺ方向に配置されている。このように、本実施形態においては、光変調部１０、照明部２０、第１投射光学系３０、第２投射光学系４０および光源部が、投影画像および投影面１０１に対して平行な方向であるＹ方向またはＺ方向に並べて配置されている。さらに具体的には、光変調部１０と照明部２０とからなる画像形成部Ａと、第１投射光学系３０と第２投射光学系４０とからなる投射光学部Ｂとが積層された方向に対して直交する方向に光源部６０が画像形成部Ａに連結されている。また、画像形成部Ａと光源部６０とは、ベース部材５３に平行な同一の直線上に配置されている。また、画像形成部Ａと投射光学部Ｂとは、ベース部材５３に垂直な同一の直線上に配置され、ベース部材５３側から、画像形成部Ａ、投射光学部Ｂの順番で配置されている。これにより、装置の設置スペースが投影面１０１に投影された投影画像の面に対して直交する方向に取られるのを抑制することができる。これにより、画像投影装置を机などの上に載せて使用する場合、狭い室内においても装置が、机や椅子の配置の邪魔になるのを抑制することができる。
【００６０】
また、本実施形態においては、光源部６０の上方に、光源６１やＤＭＤ１１に電力を供給するための電源部８０が積層配置されている。これら光源部６０、電源部８０、画像形成部Ａ、投射光学部Ｂは、上述のプロジェクタの上面と、ベース部材５３と、プロジェクタ１の周囲を覆う後述の外装カバー５９（図２１参照）からなるプロジェクタ１の容器に収納されている。
【００６１】
図１６は、プロジェクタ１の内部構成を示す斜視図であり、図１７は、プロジェクタ内の空気の流れを説明する説明図である。なお、図１６は、電源部８０については、図示を省略している。
図１６、図１７に示すように、プロジェクタ１の側面の一方（図中右側）にプロジェクタ１内に外気を取り込むための開口した吸気口８５が設けられている。プロジェクタ１の側面の他方（図中左側）には、プロジェクタ１内に外気を取り込むとともに、プロジェクタ１内の空気を排気する開口した吸排気口８４が設けられている。また、光源部６０を収納する光源ハウジング９７内の光源６１を冷すための空気を取り入れる取り入れ口９７ａと対向するように、吸気用軸流ファン８６が設けられている。吸気用軸流ファン８６は、吸気面を操作部８３の方へ、吐出面を取り入れ口９７ａの方へ向けて配置されている。また、吸排気口８４や、吸気口８５は、上下方向（図中Ｙ方向）において、少なくとも一部が、吸気用軸流ファン８６よりも上方に位置にしている。
【００６２】
図１８は、吸気用軸流ファン８６、光源ハウジング９７およびシロッコファン９５の配置関係を示す図である。
図１８に示すように、光源ハウジング９７の光源排気口６４ｂと対向する箇所には、開口部９７ｂが設けられており、この開口部９７ｂを介して光源排気口６４ｂと対向するように、両側吸い込み式のシロッコファン９５が設けられている。具体的には、シロッコファン９５の一方の吸い込み面が、光源排気口６４ｂと対向し、他方の吸い込み面９５ｂが、装置の外装カバー５９側面と対向するように配置されている。また、シロッコファン９５の排気が、ＤＭＤ１２を冷却するためのヒートシンク１３に向かうように、シロッコファン９５の排気口９５ｃが配置されている。
【００６３】
また、先の図１７に示すように、装置本体の図中左下側には、吸排気口８４の下方と対向するように、排気用軸流ファン９１が設けられている。
【００６４】
図１９は、吸気用軸流ファン８６により吸気される空気の流れを示す斜視図である。
吸気用軸流ファン８６の吸気面が、操作部８３を向いている。従って、光源部６０と操作部８３との間の空間には、光源側へ向かう下降するような流路が形成される。これにより、光源部６０により熱せられて操作部８３へ向けて上昇してきた空気が、光源部６０へ向けて下降する気流により下降せしめられる。その結果、操作部８３に光源部６０により熱せられた空気が当たるのを抑制することができ、操作部８３の温度上昇を抑制することができる。
【００６５】
また、吸気用軸流ファン８６による吸気により、光源部６０と操作部８３との間の空間が負圧となり、吸気口８５や吸排気口８４から外気が取り込まれ、その外気が、光源部６０と操作部８３との間の流路に流れ込む。本実施形態においては、図１７に示すように、吸気口８５は、吸気用軸流ファン８６によりも上方に位置にしている。よって、吸気口８５から取り込まれた外気は、上方の吸気口８５から下方の吸気用軸流ファン８６へ流れる下降気流となる。
【００６６】
曲面ミラー４２の裏面と、この裏面に対向する外装カバー５９との間や、第２投影光学系４０のミラーホルダ４５と外装カバー５９の間には、空気が流れるための流路（隙間）が形成されている。よって、吸排気口８４の排気用軸流ファン９１と対向していない上部から取り込まれた外気が、ミラーホルダ４５と外装カバー５９の間の流路や曲面ミラー４２の裏面と外装カバー５９との間の流路を通って、光源部６０と操作部８３との間の流路に流れ込む。
【００６７】
上記吸排気口８４の外気が取り込まれる箇所や、ミラーホルダ４５と外装カバー５９の間の流路や曲面ミラー４２の裏面と外装カバー５９との間の流路は、排気用軸流ファン９１よりも上方にある。よって、上記吸排気口８４から取り込まれた外気も、上方から下方へ流れる下降気流となる。その結果、装置本体内の光源部６０よりも上方の空間には、吸気用軸流ファン８６に向かうような下降気流の層ができる。これにより、光源部６０により熱せられて上昇してきた空気を、上記下降気流の層により、操作部８３へ向かうのを阻害することができる。これにより、操作部８３の温度上昇を良好に抑制することができる。
【００６８】
また、吸気口８５を通じて装置本体内部に取り込まれた空気は、まず操作部８３の近傍を通り、操作部８３の自己発熱を冷却した後に吸気用軸流ファン８６を通じて光源ハウジング９７内部に流入していく。そのため、操作部８３自身の自己発熱による温度上昇も良好に抑えることができる。
【００６９】
図２０は、電源部８０の配置関係を示すプロジェクタの斜視図である。
図２０に示すように、電源部８０は、上下方向において、吸気用軸流ファン８６と操作部８３との間に設けられており、光源部６０と操作部８３との間の光源側へ向かう流路の側面を形成するような形で設けられている。電源部８０には、コンデンサ、コイル、抵抗などの電気素子を多数備えており、これら電気素子が発熱して温度が上昇してしまう。電源部８０が温度上昇して、高温となると、動作性能や耐用性が低下するおれがある。一般的に、電源部８０は、１００℃が定格温度となっており、１００℃を超えると、電源部８０に設けられた不図示のサーマルスイッチによって、電力供給が遮断されるようになっている。電源部８０の温度上昇を避けるために、コンデンサ、コイル、抵抗などの電気素子にヒートシンクなどを設けることも考えられるが、装置のコストアップに繋がる。
【００７０】
本実施形態においては、図２０に示すように、光源部６０と操作部８３との間の光源側へ向かう下降流路の側面を形成するような形で電源部８０を設設けている。よって、吸気口８５を通じて装置本体内部に取り込まれた空気で、電源部８０を冷却することができる。しかも、光源部６０を冷却する前の温度の低い空気により電源部８０を冷却することができる。これにより、電源部８０を良好に冷却することができ、電源部８０の動作性能や耐用性の低下を抑えることができる。
【００７１】
図２１は、光源部６０を冷却する空気の流れを示す斜視図であり、図２２は、吸気用軸流ファン８６を取り除いた斜視図であり、図２３は、図２２のＤ方向から見た図である。
吸気用軸流ファン８６により吸気された空気は、先の図１２に示す光源ハウジングの取り入れ口９７ａへ流れる。取り入れ口９７ａから光源ハウジング９７内に流れた冷却空気の一部は、取り入れ口９７ａを介して吸気用軸流ファン８６と対向する光源流入口６４ｃへと流れる。
光源流入口６４ｃへ流れた空気は、ホルダ６４内を通って光源６１の光発光部や、リフレクタなどを冷却した後、ホルダ６４の側面に設けられた光源排気口６４ｂから排気される。光源排気口６４ｂから排気された空気は、光源ハウジング９７の開口部９７ｂを通って、シロッコファン９５の一方の吸い込み面９５ａへ吸い込まれる。
【００７２】
また、光源流入口６４ｃ以外へ流れた空気は、光源６１の外周を冷却して光源ハウジング９７の開口部９７ｂを通って、シロッコファン９５の一方の吸い込み面９５ａへ吸い込まれる。
【００７３】
本実施形態においては、光源６１としては、高圧水銀ランプを用いており、光源６１が高温であると、光源６１内のガスをシールするシール部などの劣化が早まり、寿命が短くなる。光源として高圧水銀ランプを用いた場合、光源６１のシール部は、２７０〜３５０℃以下、バルブ温度は、１０００℃以下に抑える必要がある。本実施形態においては、取り入れ口９７ａから光源ハウジング９７内に流れた冷却空気により、光源６１のシール部を３５０℃以下、バルブ温度は、８５０〜８７０℃に抑えることができた。
【００７４】
高温の光源部６０から熱を奪って光源部６０を冷却した空気は、高温化してしまう。特に、高温となるリフレクタを冷却して光源排気口６４ｂから排気された空気は、非常に高温となる。片側吸い込み式のシロッコファンや、軸流ファンで、光源ハウジング９７内の空気を排気する構成とした場合、この高温化した光源冷却後空気により外装カバー５９が加熱され、光源部６０付近の側面やベース部材５３が高温化してしまうという問題が新たに生じてしまう。また、シロッコファンよりも光源冷却後空気の流れ方向下流側に配置された部品や電気装置の素子の温度が上昇してしまう。
【００７５】
そこで、本実施形態においては、両側吸い込み式のシロッコファン９５を用い、光源ハウジング９７から排気された光源部６０を冷却した後の光源冷却後空気と、光源冷却後空気よりも温度の低い空気とを混合して、光源冷却後空気を排気するようにした。
【００７６】
図２２、図２３に示すように、シロッコファン９５の一方の吸気面９５ａが、光源ハウジング９７の開口部９７ｂを介して光源排気口６４ｂと対向するようにシロッコファン９５が配置されている。これにより、シロッコファン９５の一方の吸気面９５ａで、光源ハウジング９７内の高温の空気を吸い込み、他方の吸気面９５ｂで装置内部の低温な空気を取り込むことができる。シロッコファン９５の内部に設けられた攪拌部材としての筒状ファンには、多数の羽が形成されており、空気攪拌能力が高い。よって、一方の吸気面９５ａから吸気された高温の光源冷却後空気と、他方の吸気面９５ｂから吸気された低温の空気とを混合部としてのシロッコファン内部で良好に攪拌することができる。このように、シロッコファン９５の内部で高温な光源冷却後空気と、装置内部の低温な空気とを攪拌することで、２つの空気の中間の温度の空気をシロッコファン９５の排気口９５ｃから排気することができる。これにより、シロッコファン９５の排気口９５ｃから排気された空気の温度上昇を抑えることができる。
【００７７】
また、光源部６０は、吸気用軸流ファン８６により光源ハウジング９７に空気を送り込み、強制空冷で冷却しており、また、光源ハウジング９７自体の体積も小さいため、光源ハウジング９７内に流入する空気の流速は速くなっている。一方、装置内部は体積も大きいため、装置内部を流れる空気の流速は光源ハウジング９７内を流れる空気の流速に比べて一般に遅くなっている。従って、特許文献１の画像投影装置のように、ダクトに光源ハウジング９７からの光源冷却後空気と、装置内部の低温な空気とをそれぞれ流して、ダクト内のそれぞれの流れに任せて受動的に混合させる場合、流速差によって低温な空気の層と光源冷却後空気の層に分かれやすい。一方、本実施形態のように、筒状ファンによりシロッコファン内部で強制的に攪拌することで、２つの空気層に分かれることなく、混合することができる。
【００７８】
また、本実施形態においては、光源ハウジング９７の開口部９７ｂを介して光源排気口６４ｂと対向するようにシロッコファン９５を配置している。従って、光源ハウジング９７から排気された空気により、光源部６０付近の側面やベース部材５３が高温化するのを抑制することができる。また、光源ハウジング９７の開口部９７ｂから出た直後の光源冷却後空気を冷却することができる。これにより、光源ハウジング９７の開口部９７ｂよりも光源冷却後空気の流れ方向下流側の部品や電気装置の素子の温度が上昇することを抑えることができる。
【００７９】
また、本実施形態では、光源冷却後空気と、装置内の低温な空気とを混合させる混合手段として両側吸い込み式のシロッコファン９５を用いた。これにより、光源から装置の排気口までダクトを設け、ダクト内で光源冷却後空気と、装置内の低温な空気とを混合させる特許文献１に記載の画像投影装置とは異なり、非常に短い流路の中で低温化が図れる。その結果、特許文献１に記載の画像投影装置に比べて、筐体内部の省スペース化が図れ、装置の小型化を図ることができる。
【００８０】
また、シロッコファン９５の他方の吸気面９５ｂから、装置内部の空気を吸引することにより、シロッコファン９５の周囲が負圧となる。よって、シロッコファン９５よりも上方に配置された吸気口８５から取り込まれた空気の一部が、シロッコファン９５へ流れる。これにより、装置内部には、吸気口８５からシロッコファン９５へ向かう下降気流も生じ、光源部６０により熱せられた空気が、操作部８３へ上昇するのをより一層抑制することができる。
【００８１】
図２４は、シロッコファン９５から吸排気口８４に至るまでの空気の流れを示す斜視図である。
図２４に示すように、シロッコファン９５の排気口９５ｃから排気された空気は、排気用軸流ファン９１の吸気により、排気用軸流ファン９１に向けて移動する。排気口９５ｃから排気された空気は、図中Ｚ方向において、排気用軸流ファン９１とシロッコファン９５との間に配置されたＤＭＤ１２を冷却するためのヒートシンク１３へ流れヒートシンク１３から放熱された熱を、吸排気口８４へ流す。ヒートシンク１３へ流れるシロッコファン９５から排気された空気は、上述したように、低温の空気と混合させ、温度低下している。よって、シロッコファン９５からの排気された空気でも、ヒートシンク１３を良好に冷却することができ、ヒートシンク１３の冷却効率の低下を抑えることができる。
【００８２】
ＤＭＤ１２の定格温度は、９０℃と電源部８０よりも厳しいが、ＤＭＤ１２には、ヒートシンク１３により積極的に熱を放熱できる構成である。よって、シロッコファン９５の排気口９５ｃから排気された多少、温度の高い空気であっても、ＤＭＤ１２の温度が定格温度を超えることはない。
【００８３】
そして、ヒートシンク１３の熱を奪った空気は、排気用軸流ファン９１により、吸排気口８４から機外へ排出される。
【００８４】
次に、本実施形態の変形例について説明する。
【００８５】
［変形例］
図２５は、変形例のプロジェクタを示す要部斜視図である。
図２５に示すように、この変形例のプロジェクタは、吸気用軸流ファン８６を、吸気口８５と対向するように配置した。また、光源部６０と操作部８３との間に、吸気口８５から取り入れた外気を、光源ハウジング９７の取り入れ口９７ａへ導くためのダクト９９を設けている。
【００８６】
このように、吸気用軸流ファン８６を、吸気口８５に対向配置することで、吸気口８５から効率よく外気を取り込むことができる。また、ダクト９９を設けることで、吸気口８５から取り入れた外気を、効率よく光源ハウジング９７へ送ることができる。これにより、光源６１を良好に冷却することができる。
【００８７】
また、図中Ｚ１、Ｚ２で示すように、ダクト９９は、操作部８３の装置中央側端部（Ｚ１）よりも、装置中央側まで延設されている。これにより、装置内部の光源部６０の熱などにより熱せられた空気が、操作部８３に当たるのを、ダクト９９により抑制することができる。また、ダクト９９内に流れる温度の低い空気により、ダクト９９の周囲は、温度が低くなる。よって、ダクト９９の周囲に流れてきた温度の高い空気は、ダクト９９周囲の温度の低い空気と混ざって温度低下する。これにより、操作部８３周囲の上面が、温度上昇するのも抑制することができる。
【００８８】
図２６は、変形例のプロジェクタにおける空気の流れを示す図である。
図２６に示すように、吸気用軸流ファン８６により吸気口８５から取り込まれた外気は、Ｌ字に屈曲したダクト９９の形状により上方から下方に流れ、光源ハウジング９７内に流れる。このように、ダクト９９内では、上方から下方に流れる気流となるので、光源ハウジング９７から熱せられた空気が、ダクト９９内で上昇するのを防止することができる。
【００８９】
ダクト９９から光源ハウジング９７へ流れ込んだ空気は、上述同様、一部は、光源流入口６４ｃへと流れ、光源６１の光発光部や、リフレクタなどを冷却し、残りは、光源ハウジング９７内を流れ光源６１の外周を冷却する。そして、上述同様、シロッコファン９５により、温度の低い空気と攪拌され、温度を下げられたシロッコファン９５の排気口から排気される。その後は、上述同様、ヒートシンク１３に流れて、ヒートシンク１３を冷却した後、排気用軸流ファン９１により装置外へ排出される。
【００９０】
この変形例においても、ダクト９９を構成する壁の一部を、電源部８０で構成して、吸気口８５から光源ハウジング９７へ流れる空気により電源部８０を冷却してもよい。また、この変形例においては、筒形状のダクト９９で吸気用軸流ファン８６により吸気口８５から吸気した空気を光源ハウジング９７へ流入させている。しかし、吸気用軸流ファン８６により吸気口８５から吸気した空気を下降させて、光源ハウジング９７の取り入れ口９７ａへ導ける構成であればよい。例えば、取り入れ口９７ａの装置中央側の縁部から上方（操作部）へ延びる壁部（図２６に示す９９ａ）のみでもよい。かかる構成でも、吸気用軸流ファン８６により吸気口８５から吸気した空気が壁部９９ａに当たった後、シロッコファン９５の吸気により負圧となった光源ハウジング９７の取り入れ口９７ａへ向かって下降する。また、壁部９９ａを、上部が、吸気口８５側に位置するような傾斜面としてもよい。かかる構成としても、吸気用軸流ファン８６により吸気口８５から吸気した空気を、光源ハウジング９７の取り入れ口９７ａへ向けて下降させることができる。
【００９１】
また、上述では、吸気用軸流ファン８６により、光源ハウジング９７に光源冷却用の空気を送りこんでいるが、シロッコファン９５の吸気により、光源ハウジング９７に光源冷却用の空気を送りこんでもよい。かかる構成とすることで、吸気用軸流ファン８６を無くすことができ、部品点数の増加やコストアップ、重量アップといった問題も解決することが可能となる。
【００９２】
また、本実施形態においては、両側吸気型シロッコファンを用いて、光源冷却後空気と装置内部の低温な空気とを攪拌して排出しているが、これに限られない。例えば、光源冷却後空気と、装置内部の低温な空気とを取り入れるダクトと、このダクト内のスクリューなどの空気を攪拌する攪拌部材とを設けた構成でもよい。この場合もダクト内で光源冷却後空気と、装置内部の低温な空気とが攪拌され、光源冷却後空気の温度を低下させて、ダクトから排出されることができる。
【００９３】
以上に説明したものは一例であり、本発明は、以下の態様毎に特有の効果を奏する。
（態様１）
光源６１と、光源６１からの光を用いて画像を投影する光学エンジン部１００などの画像投影手段と、光源６１により加熱された空気と、該空気よりも低温の空気とを取り入れて混合する混合手段と、混合手段で混合された空気を機外へ排気する画像投影装置において、混合手段は、光源６１により加熱された空気と該空気よりも低温の空気とを取り入れて混合する混合部と、混合部内の空気を攪拌する筒状ファンなどの攪拌部材とを備えた。
かかる構成を備えることで、実施形態で説明したように、混合部内で光源冷却後空気を良好に冷却して、機外へ排気することができる。
【００９４】
（態様２）
（態様１）において、混合手段は、両側吸い込み型シロッコファン９５であり、一方の吸い込み口から光源６１により加熱された空気を吸い込み、他方の吸い込み口から前記光源により加熱された空気より低温の空気を吸い込む。
混合手段として、両側吸い込み型シロッコファンを用いることで、シロッコファン９５の筒状ファンにより光源６１により加熱された空気と温度上昇していない空気とを攪拌することができる。これにより、混合部内で光源冷却後空気を良好に冷却して、機外へ排気することができる。
また、混合手段として、両側吸い込み型シロッコファンを用いることで、実施形態で説明したように、光源６１により加熱された空気と温度上昇していない空気とが流れこむ混合ダクトと、混合ダクト内に攪拌部材とを設けたものに比べて、筐体内部の省スペース化が図れ、装置の小型化を図ることができる。
【００９５】
（態様３）
（態様２）において、両側吸い込み型シロッコファン９５の一方の吸い込み口９５ａを、光源６１を収納する光源ハウジング９７の光源６１により加熱された空気が排気される開口部９７ｂなどの排気口に対向するように、両側吸い込み型シロッコファン９５を配置した。
かかる構成を備えることで、実施形態で説明したように、光源ハウジング９７の開口部９７ｂなどの排気口から出た直後の光源冷却後空気を冷却することができる。これにより、光源冷却後空気により光源部６０付近の側面やベース部材５３が高温化するのを抑制することができる。また、光源ハウジング９７の開口部９７ｂから出た直後の光源冷却後空気を冷却することができる。また、光源ハウジング９７の開口部９７ｂよりも光源冷却後空気の流れ方向下流側の部品や電気装置の素子の温度が上昇することを抑えることができる。
【００９６】
（態様４）
また、（態様１）乃至（態様３）いずれかにおいて、混合手段によって混合された空気で、光学エンジン部１００などの画像投影部のＤＭＤ１２などの光変調素子を冷却するヒートシンク１３などの光変調素子冷却手段を冷却する。
かかる構成を備えることで、実施形態で説明したように、ＤＭＤ１２などの光変調素子の温度上昇を抑制することができる。
【符号の説明】
【００９７】
１：プロジェクタ
１２：ＤＭＤ
１３：ヒートシンク
５１：透過ガラス
５９：外装カバー
６０：光源部
６１：光源
６４ｂ：光源冷却後空気口
６４ｃ：光源流入口
８０：電源部
８３：操作部
８４：吸排気口
８５：吸気口
８６：吸気用軸流ファン
９１：排気用軸流ファン
９５：シロッコファン
９７：光源ハウジング
９７ａ：取り入れ口
９７ｂ：開口部
９９：ダクト
９９ａ：壁部
１００：光学エンジン部
１０１：投影面
Ａ：画像形成部
Ｂ：投射光学部
【先行技術文献】
【特許文献】
【００９８】
【特許文献１】特開２００７−３１６３３４号公報
【図１】
2014167502.tif 000003
【図２】
2014167502.tif 000004
【図３】
2014167502.tif 000005
【図４】
2014167502.tif 000006
【図５】
2014167502.tif 000007
【図６】
2014167502.tif 000008
【図７】
2014167502.tif 000009
【図８】
2014167502.tif 000010
【図９】
2014167502.tif 000011
【図１０】
2014167502.tif 000012
【図１１】
2014167502.tif 000013
【図１２】
2014167502.tif 000014
【図１３】
2014167502.tif 000015
【図１４】
2014167502.tif 000016
【図１５】
2014167502.tif 000017
【図１６】
2014167502.tif 000018
【図１７】
2014167502.tif 000019
【図１８】
2014167502.tif 000020
【図１９】
2014167502.tif 000021
【図２０】
2014167502.tif 000022
【図２１】
2014167502.tif 000023
【図２２】
2014167502.tif 000024
【図２３】
2014167502.tif 000025
【図２４】
2014167502.tif 000026
【図２５】
2014167502.tif 000027
【図２６】
2014167502.tif 000028